(57)【要約】【課題】  安価で、しかも環境に優しいフィルターディスペンサーを提供する。【解決手段】  フィルターディスペンサー１０は、長尺のフィルター１５を巻いたロール体１８を保持すると共に空気出入部１３の上側に取り付けられる上側保持手段２０Ｕと、空気出入部１３の下側に取り付けられ、ロール体１８から空気出入部１３の下側に引き出されたフィルター１５を保持する下側保持手段２０Ｄと、を有する。上側保持手段２０Ｕは、ロール体１８において内側に向くフィルター１５の内面１５ａが、空気出入部１３側に向くようにフィルター１５を繰り出す。【選択図】  図３
2014213285.tif 000002
【特許請求の範囲】
【請求項１】
被仕切り物と外気とを仕切る仕切り部材の外面に取り付けられ、前記仕切り部材に設けられた空気出入部をシート状のフィルターで覆うフィルターディスペンサーであって、
長尺の前記フィルターを巻いたロール体を回転可能に保持すると共に前記空気出入部の一側に取り付けられる第１の保持手段と、
前記空気出入部の他側に取り付けられ、前記ロール体から前記空気出入部の他側に引き出された前記フィルターを保持する第２の保持手段と、を有し、
前記第１の保持手段は、
前記ロール体において内側に向く前記フィルターの内面が、前記空気出入部側に向くように前記フィルターを繰り出す、
ことを特徴とするフィルターディスペンサー。
【請求項２】
前記第１の保持手段は、
前記ロール体から引き出された前記フィルターを前記空気出入部の一側の縁に沿わせる第１の案内部材を有し、
前記第２の保持手段は、
前記ロール体から引き出された前記フィルターを前記空気出入部の他側の縁に沿わせる第２の案内部材を有する、
ことを特徴とする請求項１に記載のフィルターディスペンサー。
【請求項３】
前記第１の案内部材は、
前記ロール体から引き出された前記フィルターを前記空気出入部の一側の縁に接触させるものであり、
前記第２の案内部材は、
前記ロール体から引き出された前記フィルターを前記空気出入部の他側の縁に接触させるものである、
ことを特徴とする請求項２に記載のフィルターディスペンサー。
【請求項４】
前記第２の保持手段は、
前記空気出入部において外気側に向く前記フィルターの外面を内側にして前記フィルターを巻き取る巻き取り軸を有する、
ことを特徴とする請求項１〜３のいずれかに記載のフィルターディスペンサー。
【請求項５】
前記第１の保持手段は、前記ロール体の両端部を支持する一対の第１の支持体を有し、
前記第２の保持手段は、前記巻き取り軸の両端部を支持する一対の第２の支持体を有し、
前記第１の支持体および前記第２の支持体のそれぞれは、前記仕切り部材の外面に個別に取り付け可能である、
ことを特徴とする請求項４に記載のフィルターディスペンサー。
【請求項６】
前記一対の第１の支持体および前記一対の第２の支持体のうち、
前記フィルターの引き出し方向に沿って対向する前記第１の支持体および前記第２の支持体は、同一形状の部品である、
ことを特徴とする請求項５に記載のフィルターディスペンサー。
【請求項７】
前記第１の支持体は、前記空気出入部の上側に取り付けられ、
前記第２の支持体は、前記空気出入部の下側に取り付けられる、
ことを特徴とする請求項５または６に記載のフィルターディスペンサー。
【請求項８】
前記第１の支持体は、
前記仕切り部材の外面から突出すると共に、
先方に向けて上り傾斜に形成されて前記ロール体の端部の脱落を防止する傾斜部を有する、
ことを特徴とする請求項７に記載のフィルターディスペンサー。
【請求項９】
前記第２の支持体は、
前記仕切り部材の外面から突出すると共に、
先方に向けて上り傾斜に形成されて前記巻き取り軸の端部の脱落を防止する傾斜部を有する、
ことを特徴とする請求項７または８に記載のフィルターディスペンサー。
【請求項１０】
前記ロール体の巻き芯は、
前記長尺のフィルターが全て引き出された後に、前記巻き取り軸として再利用可能である、
ことを特徴とする請求項４〜９のいずれかに記載のフィルターディスペンサー。
【発明の詳細な説明】
【技術分野】
【０００１】
本発明は、フィルターディスペンサーに関し、より詳細には、被仕切り物と外気とを仕切る仕切り部材に設けられた空気出入部を、シート状のフィルターで覆うフィルターディスペンサーに関する。
【背景技術】
【０００２】
従来、制御盤やモータ等の外気取入部に設置されるフィルターに関し、各種の技術が提案されている（例えば、特許文献１参照）。
【０００３】
特許文献１には、仕切り部材に設けられた外気取入口を覆うフィルターが開示されている。フィルターは、ロール状に巻き取られたフィルター用紙と、フィルター用紙を引き出し可能に収納するケーシングと、外気取入口の縁部に着脱自在に取り付けられる長尺磁石板とを備える。このフィルターでは、ケーシングの開口部からフィルター用紙を引き出し、この引き出したフィルターで外気取入口を覆うと共に、引き出したフィルターを長尺磁石板で固定する。これにより、被仕切り物への粉塵や湿気、オイルミストの進入を防止する。また、引き出されていない最外周のフィルター用紙を、ケーシングによって外気による汚染から保護する。
【先行技術文献】
【特許文献】
【０００４】
【特許文献３】実用新案登録第３０９９６３６号公報
【発明の概要】
【発明が解決しようとする課題】
【０００５】
ところで、近年、特許文献１に代表されるフィルターディスペンサーには、安価で、しかも環境に優しい構成が要望されている。
【０００６】
しかし、特許文献１においては、ロール状のフィルター用紙を収納するための大きなケーシングが必要であるため、コストが高くなる。また、ケーシングが必要な分、資材の使用量が多く、環境負荷も高い。すなわち、特許文献１に開示される技術では、上記要望に応えることはできない。
【０００７】
本発明は、このような事情に鑑みてなされたものであり、その目的は、安価で、しかも環境に優しいフィルターディスペンサーを提供することにある。
【課題を解決するための手段】
【０００８】
このような目的を達成するため、本発明は、以下の構成によって把握される。
（１）本発明は、被仕切り物と外気とを仕切る仕切り部材の外面に取り付けられ、前記仕切り部材に設けられた空気出入部をシート状のフィルターで覆うフィルターディスペンサーであって、長尺の前記フィルターを巻いたロール体を回転可能に保持すると共に前記空気出入部の一側に取り付けられる第１の保持手段と、前記空気出入部の他側に取り付けられ、前記ロール体から前記空気出入部の他側に引き出された前記フィルターを保持する第２の保持手段と、を有し、前記第１の保持手段は、前記ロール体において内側に向く前記フィルターの内面が、前記空気出入部側に向くように前記フィルターを繰り出す、ことを特徴とする。
【０００９】
この構成によれば、ロール体において外気に曝されないフィルターの内面が、空気出入部側に向くようになる。すなわち、空気出入部では、ロール体の最外周において外気に曝されたフィルターの外面が、外気側に向くようなる。このため、仮に、ロール体において外気中の粉塵等がフィルターの外面に付着しても、その粉塵等が空気出入部から被仕切り物側に進入する心配が無い。したがって、従来、必要であったケーシングが不要になる。さらに、第１の保持手段および第２の保持手段を仕切り部材に一旦取り付けてしまえば、ロール体を交換するだけで、継続的且つ長期に使用可能な環境に優しいフィルターディスペンサーを得ることができる。
【００１０】
（２）本発明では、（１）の構成において、前記第１の保持手段は、前記ロール体から引き出された前記フィルターを前記空気出入部の一側の縁に沿わせる第１の案内部材を有し、前記第２の保持手段は、前記ロール体から引き出された前記フィルターを前記空気出入部の他側の縁に沿わせる第２の案内部材を有する、ことを特徴とする。
【００１１】
この構成によれば、空気出入部を挟んで両側に配置される第１の案内部材および第２の案内部材により、空気出入部を覆うフィルターに張力を加えてフィルターを平坦に張ることができる。これにより、空気出入部とフィルターとの隙間を低減でき、フィルターの効果をより高めることができる。
【００１２】
（３）本発明では、（２）の構成において、前記第１の案内部材は、前記ロール体から引き出された前記フィルターを前記空気出入部の一側の縁に接触させるものであり、前記第２の案内部材は、前記ロール体から引き出された前記フィルターを前記空気出入部の他側の縁に接触させるものである、ことを特徴とする。
【００１３】
この構成によれば、空気出入部を覆うフィルターは、空気出入部の両側の縁それぞれに押し付けられる。その結果、空気出入部に対して、フィルターをより近接させ、且つ、より平坦に張ることができる。したがって、空気出入部とフィルターとの隙間をより低減でき、フィルターの効果を最大限に高めることができる。
【００１４】
（４）本発明では、（１）〜（３）のいずれかの構成において、前記第２の保持手段は、前記空気出入部において外気側に向く前記フィルターの外面を内側にして前記フィルターを巻き取る巻き取り軸を有する、ことを特徴とする。
【００１５】
この構成によれば、巻き取り軸を回転操作するだけで、粉塵や湿気、オイルミストが付着して汚れたフィルターを巻き取り軸に巻き取りながら、未使用のフィルターをロール体から引き出すことができる。すなわち、フィルターを切断することなく、フィルターを定期的に容易に交換することができる。しかも、従来、必要であった長尺磁石板が不要である。加えて、フィルターは、汚れた外面を内側にして巻き取り軸に巻き取られるので、巻き取り軸に巻き取られた状態では、汚れた外面が露出しない。したがって、使用済みのフィルターを取り外す際に、手などが汚れる心配も無い。
【００１６】
（５）本発明では、（４）の構成において、前記第１の保持手段は、前記ロール体の両端部を支持する一対の第１の支持体を有し、前記第２の保持手段は、前記巻き取り軸の両端部を支持する一対の第２の支持体を有し、前記第１の支持体および前記第２の支持体のそれぞれは、前記仕切り部材の外面に個別に取り付け可能である、ことを特徴とする。
【００１７】
この構成によれば、一対の第１の支持体の離間距離および一対の第２の支持体の離間距離を調整することにより、軸方向の長さが異なる複数種のロール体に対応することができる。また、同時に、第１の支持体と第２の支持体との離間距離を調整することにより、様々な空気出入部に対応することができる。すなわち、一対の第１の支持体および一対の第２の支持体からなる合計４個の支持体の取り付け位置を任意に調整することで、各種寸法の空気出入部および各種寸法のロール体に対応することができる。
【００１８】
（６）本発明では、（５）の構成において、前記一対の第１の支持体および前記一対の第２の支持体のうち、前記フィルターの引き出し方向に沿って対向する前記第１の支持体および前記第２の支持体は、同一形状の部品である、ことを特徴とする。
【００１９】
この構成によれば、部品の共通化により、コストの低減を図ることができ、フィルターディスペンサーをより安価に構成することができる。
【００２０】
（７）本発明では、（５）または（６）の構成において、前記第１の支持体は、前記空気出入部の上側に取り付けられ、前記第２の支持体は、前記空気出入部の下側に取り付けられる、ことを特徴とする。
【００２１】
この構成によれば、鉛直方向下向きにフィルターを引き出すため、ロール体からフィルターを引き出す作業が容易になると共に、フィルターの形態が安定し易くなる。
【００２２】
（８）本発明では、（７）の構成において、前記第１の支持体は、前記仕切り部材の外面から突出すると共に、先方に向けて上り傾斜に形成されて前記ロール体の端部の脱落を防止する傾斜部を有する、ことを特徴とする。
【００２３】
この構成によれば、フィルターを引き出す際などにロール体が動いても、第１の保持手段からロール体が脱落することを傾斜部によって防止することができる。
【００２４】
（９）本発明では、（７）または（８）の構成において、前記第２の支持体は、前記仕切り部材の外面から突出すると共に、先方に向けて上り傾斜に形成されて前記巻き取り軸の端部の脱落を防止する傾斜部を有する、ことを特徴とする。
【００２５】
この構成によれば、フィルターを巻き取る際などに巻き取り軸が動いたり、巻き取り軸に巻かれるフィルターの質量が増えたりしても、第２の保持手段からの巻き取り軸の脱落を傾斜部によって防止することができる。
【００２６】
（１０）本発明では、（４）〜（９）のいずれかの構成において、前記ロール体の巻き芯は、前記長尺のフィルターが全て引き出された後に、前記巻き取り軸として再利用可能である、ことを特徴とする。
【００２７】
この構成によれば、ロール体の巻き芯が巻き取り軸として再利用可能であるため、環境負荷をより低減することができる。
【発明の効果】
【００２８】
本発明によれば、安価で、しかも環境に優しいフィルターディスペンサーを提供することができる。
【図面の簡単な説明】
【００２９】
【図１】本発明に係るフィルターディスペンサーの斜視図である。
【図２】図１のＡ矢視図である。
【図３】図１のＢ矢視図である。
【図４】図２に示されるフィルターディスペンサーの作用図であり、（ａ）は支持体の取り付け例を示す図、（ｂ）は支持体の他の取り付け例を示す図である。
【図５】図３に示されるロール体の巻き芯の作用図である。
【図６】フィルターディスペンサーの第１変形例を示す図である。
【図７】フィルターディスペンサーの第２変形例を示す図である。
【図８】フィルターディスペンサーの第３変形例に係る支持体を説明する図であり、（ａ）は支持体の正面図、（ｂ）は（ａ）における内側部分のＣ矢視図、（ｃ）は（ａ）における外側部分のＣ矢視図である。
【図９】フィルターディスペンサーの第４変形例を示す図である。
【発明を実施するための形態】
【００３０】
以下、添付図面を参照して、本発明を実施するための形態（以下、「実施形態」と称する）について詳細に説明する。実施形態の説明の全体を通して同じ要素には同じ番号を付している。また、実施形態において、「前」、「後」は、各々、フィルターディスペンサーに正対したときの「手前側」、「奥側」を示す。
【００３１】
（フィルターディスペンサー１０の全体構成）
まず、フィルターディスペンサー１０の全体構成を図１に基づいて説明する。
図１に示すように、フィルターディスペンサー１０は、被仕切り物１１と外気とを仕切る仕切り部材１２の外面１２ａに取り付けられ、仕切り部材１２に設けられた空気出入部１３をシート状のフィルター１５で覆うものである。
【００３２】
ここで、被仕切り物１１は、例えば、制御盤など各種の電気部品であり、種類は任意である。仕切り部材１２についても、例えば、制御盤を収納する金属製の筐体など、種類は任意である。空気出入部１３は、この例では、壁状の仕切り部材１２の外面１２ａから張り出した部分であり、その外形が四角形状に形成される。空気出入部１３の前面１６は平坦状に形成され、この前面１６には複数の換気孔１７が開口している。これら複数の換気孔１７の配列は任意であるが、ここでは、複数の換気孔１７を同一ピッチで且つ千鳥状に配列する。また、換気孔１７の形状についても円形、楕円形、三角形、四角形、多角形など各種の形状から選択可能である。
【００３３】
フィルターディスペンサー１０は、空気出入部１３の上側（本発明にいう「空気出入部の一側」に相当）に取り付けられる上側保持手段２０Ｕ（本発明にいう「第１の保持手段」に相当）と、空気出入部１３の下側（本発明にいう「他側」に相当）に取り付けられる下側保持手段２０Ｄ（本発明にいう「第２の保持手段」に相当）とを有する。
【００３４】
（フィルターディスペンサー１０の各部の構成）
次に、フィルターディスペンサー１０の各部の構成を図１〜図３に基づいて説明する。
【００３５】
（上側保持手段２０Ｕの構成）
図１に示すように、上側保持手段２０Ｕは、ロール体１８の両端部を支持する左右一対の上側支持体２１Ｕ（本発明にいう「第１の支持体」に相当）と、ロール体１８から引き出されたフィルター１５を空気出入部１３の上縁１３ｕに沿わせる上側案内部材２２Ｕ（本発明にいう「第１の案内部材」に相当）とを有する。左右の上側支持体２１Ｕは、同一形状の部品で構成される。
【００３６】
図２に示すように、ロール体１８は、長尺のフィルター１５を棒状（例えば、円柱状、円筒状など）の巻き芯１８ａに巻いたものである。このフィルター１５の厚みや通気度などは、求められる機能に応じて適正に設定される。また、フィルター１５には、不織布を含む各種の素材を用いることができるが、環境負荷を考慮すると、フィルター１５の材質は、レーヨンやポリ乳酸が好ましい。また、巻き芯１８ａの周面には、フィルター１５の巻き芯１８ａ側の端部と接着可能な接着部材１８ａ１が設けられる。この接着部材１８ａ１は、フィルター１５の端部に接着してフィルター１５を巻き芯１８ａに保持する機能を有するが、この例では、フィルター１５を巻き取り軸３１（後述）として再利用可能にするため、接着されたフィルター１５を剥離可能とする両面テープなどで接着部材１８ａ１を構成する。
【００３７】
図３に示すように、各上側支持体２１Ｕは、仕切り部材１２の外面１２ａに個別に取り付け可能であり、この例では、仕切り部材１２の外面１２ａのうち空気出入部１３の上方近傍に取り付けられる。各上側支持体２１Ｕは、仕切り部材１２の外面１２ａに取り付けられる座部２３と、この座部２３から前方に向けて突出する本体部２５とからなる。
【００３８】
座部２３を仕切り部材１２の外面１２ａに取り付ける手段は、両面テープによる接着、ねじ部材による固定など各種の手段から選択可能であるが、仕切り部材１２が磁性体である場合、仕切り部材１２の外面１２ａに着脱可能な磁石が好ましい。
【００３９】
本体部２５は、座部２３側の基部２５ａと、この基部２５ａの前端から前上方に屈曲する屈曲部２５ｂとを有する。基部２５ａの後端には、後上方に向けて開放する切り欠き状の後側受け部２６が形成される。一方、基部２５ａの前端には、前上方に向けて開放する切り欠き状の前側受け部２７が形成されており、この前側受け部２７には、巻き芯１８ａの軸方向の端部が回転可能に支持される。ロール体１８は、下側から後側（空気出入部１３側）にフィルター１５を繰り出させる姿勢で、上側保持手段２０Ｕにセットされる。これにより、上側保持手段２０Ｕでは、ロール体１８において内側に向くフィルター１５の内面１５ａが、空気出入部１３側に向くようにフィルター１５を繰り出すことが可能になる。
【００４０】
屈曲部２５ｂの上縁には、前方に向けて（本発明にいう「先方に向けて」に相当）上り傾斜に形成される傾斜部２８が形成される。この傾斜部２８は、巻き芯１８ａの軸方向の端部の脱落を防止する機能を有する。
【００４１】
上側案内部材２２Ｕは、その軸方向の端部が後側受け部２６に回転可能に支持され、ロール体１８から引き出されたフィルター１５を空気出入部１３の上縁１３ｕに沿わせる機能を有する。この例では、空気出入部１３の上縁１３ｕよりも仕切り部材１２の外面１２ａ寄りにフィルター１５を案内する。より具体的には、仕切り部材１２の外面１２ａに上側案内部材２２Ｕを近接させると共に、ロール体１８の後下部から後上方に引き出されたフィルター１５を上側案内部材２２Ｕの上側に通した後、前下方に折り返して空気出入部１３の前面１６に導くようにする。これにより、空気出入部１３の上縁１３ｕにフィルター１５がしっかりと接触する。なお、上側案内部材２２Ｕは、上側支持体２１Ｕに対して回転可能としてもよいし、あるいは、上側支持体２１Ｕに対して回転不能な状態で固定してもよい。上側案内部材２２Ｕは、回転可能とした場合、引き出されるフィルター１５との摩擦により回転する一方、回転不能とした場合は、引き出されるフィルター１５を外周面で滑らせる作用をなす。
【００４２】
（下側保持手段２０Ｄの構成）
下側保持手段２０Ｄは、空気出入部１３の前面１６に沿ってロール体１８から空気出入部１３の下側に引き出されたフィルター１５を保持するものであり、フィルター１５を巻き取る巻き取り軸３１と、この巻き取り軸３１を回転可能に支持する左右一対の下側支持体２１Ｄ（本発明にいう「第２の支持体」に相当）とを有する。また、下側保持手段２０Ｄは、ロール体１８から引き出されたフィルター１５を空気出入部１３の下縁１３ｄに沿わせる下側案内部材２２Ｄ（本発明にいう「第２の案内部材」に相当）を有する。
【００４３】
左右の下側支持体２１Ｄは、同一形状の部品で構成され、仕切り部材１２の外面１２ａのうち空気出入部１３の下方近傍に取り付けられる。また、各下側支持体２１Ｄは、上側支持体２１Ｕと同一の形状の部品である。このため、下側支持体２１Ｄの各部の構成については、上側支持体２１Ｕと同様の符号を流用することにより、詳細な説明を省略する。
【００４４】
巻き取り軸３１は、空気出入部１３の前面１６において外気側に向くフィルター１５の外面１５ｂを内側にしてフィルター１５を巻き取るものであって、下側支持体２１Ｄの前側受け部２７に回転可能に支持される。巻き取り軸３１には、各種の軸部材を用いることができるが、使用済みの巻き芯１８ａを再利用することが好ましい。
【００４５】
下側案内部材２２Ｄは、その軸方向の端部が後側受け部２６に回転可能に支持され、ロール体１８から引き出されたフィルター１５を空気出入部１３の下縁１３ｄに沿わせる機能を有する。この例では、空気出入部１３の下縁１３ｄよりも仕切り部材１２の外面１２ａ寄りにフィルター１５を案内する。より具体的には、仕切り部材１２の外面１２ａに下側案内部材２２Ｄを近接させると共に、空気出入部１３の前面１６に沿って導かれたフィルター１５を、空気出入部１３の下縁１３ｄから後下方に曲げて下側案内部材２２Ｄの下側に通した後、前方に折り曲げて巻き取り軸３１に導くようにする。これにより、空気出入部１３の下縁１３ｄにフィルター１５がしっかりと接触する。なお、下側案内部材２２Ｄは、下側支持体２１Ｄに対して回転可能としてもよいし、あるいは、下側支持体２１Ｄに対して回転不能な状態で固定してもよい。下側案内部材２２Ｄは、回転可能とした場合、引き出されるフィルター１５との摩擦により回転し、回転不能とした場合は、引き出されるフィルター１５を外周面で滑らせる作用をなす。
【００４６】
（実施形態の作用・効果）
以上、説明したフィルターディスペンサー１０の作用・効果を図３〜図５に基づいて説明する。
【００４７】
フィルターディスペンサー１０によれば、図３に示すように、ロール体１８において外気に曝されないフィルター１５の内面１５ａが、空気出入部１３側に向く。すなわち、空気出入部１３では、ロール体１８の最外周において外気に曝されたフィルター１５の外面１５ｂが、外気側に向くようになる。このため、仮に、ロール体１８において外気中の粉塵等がフィルター１５の外面１５ｂに付着した場合であっても、その粉塵等が空気出入部１３から被仕切り物１１側に進入する心配が無い。したがって、従来、必要であったケーシングが不要になる。
【００４８】
また、鉛直方向下向きにフィルター１５を引き出すため、ロール体１８からフィルター１５を引き出す作業が容易になると共に、フィルター１５の形態が安定し易くなる。
【００４９】
また、巻き取り軸３１を回転操作するだけで、粉塵や湿気、オイルミストなどの汚れ３２が付着したフィルター１５を巻き取り軸３１に巻き取ることができると共に、未使用のフィルター１５をロール体１８から引き出すことができる。すなわち、フィルター１５を切断することなく、定期的に容易に交換することができる。しかも、従来、必要であった長尺磁石板が不要になる。加えて、フィルター１５は、汚れ３２が付着した外面１５ｂを内側にして巻き取り軸３１に巻き取られるので、巻き取り軸３１に巻き取られた状態では、汚れた外面１５ｂが露出しない。したがって、使用済みのフィルター１５および巻き取り軸３１を取り外す際に、手などが汚れる心配も無い。
【００５０】
また、一対の上側支持体２１Ｕおよび一対の下側支持体２１Ｄのそれぞれを仕切り部材１２に個別に取り付け可能としたので、一対の上側支持体２１Ｕおよび一対の下側支持体２１Ｄからなる合計４個の支持体の取り付け位置を任意に調整することで、各種寸法の空気出入部１３および各種寸法のロール体１８に対応することができる。
【００５１】
例えば、図４（ａ）に示すように、幅が広く、高さが低い空気出入部１３に対しては、幅の広いロール体１８を用いると共に、左右の上側支持体２１Ｕおよび左右の下側支持体２１Ｄの離間距離Ｗを広げる一方、上側支持体２１Ｕと下側支持体２１Ｄとの離間距離Ｌを狭めて配置することができる。また、図４（ｂ）に示すように、幅が狭く、高さが高い空気出入部１３に対しては、幅の狭いロール体１８を用いると共に、左右の上側支持体２１Ｕおよび左右の下側支持体２１Ｄの離間距離Ｗを狭める一方、上側支持体２１Ｕと下側支持体２１Ｄとの離間距離Ｌを広げて配置することができる。
【００５２】
また、一対の上側支持体２１Ｕおよび一対の下側支持体２１Ｄを同一形状の部品としたので、部品の共通化により、コストの低減を図ることができ、フィルターディスペンサー１０をより安価に構成することができる。
【００５３】
また、フィルター１５を引き出す際などにロール体１８が動いても、上側支持体２１Ｕの傾斜部２８によって、上側保持手段２０Ｕからロール体１８が脱落することを防止することができる。同様にして、フィルター１５を巻き取る際などに巻き取り軸３１が動いたり、巻き取り軸３１に巻かれるフィルター１５の質量が増えたりしても、下側支持体２１Ｄの傾斜部２８によって、下側保持手段２０Ｄから巻き取り軸３１が脱落することを防止することができる。
【００５４】
また、ロール体１８の巻き芯１８ａを巻き取り軸３１として再利用することにより、環境負荷をより低減することができる。すなわち、図５に示すように、全てのフィルター１５が巻き取り軸３１に巻き取られたら、下側支持体２１Ｄの前側受け部２７から巻き取り軸３１を取り外す（矢印（１））。次に、残った巻き芯１８ａを上側支持体２１Ｕの前側受け部２７から取り外す（矢印（２））。そして、この取り外した巻き芯１８ａを下側支持体２１Ｄの前側受け部２７にセットし（矢印（３））、セットした巻き芯１８ａに、新しいロール体１８から引き出したフィルター１５の端部を接着部材１８ａ１で接着する。このようにして、使用済みの巻き芯１８ａを巻き取り軸３１として再利用することにより、環境に優しいフィルターディスペンサー１０を提供することができる。
【００５５】
さらに、上側案内部材２２Ｕおよび下側案内部材２２Ｄにより、空気出入部１３を覆うフィルター１５に張力を加えることができるため、空気出入部１３の前面１６に沿ってフィルター１５を平坦に張ることができる。これにより、空気出入部１３とフィルター１５との隙間を低減でき、フィルター１５の効果をより高めることができる。さらに、上側案内部材２２Ｕおよび下側案内部材２２Ｄによって、仕切り部材１２の外面１２ａ寄りにフィルター１５を案内できるので、フィルター１５が空気出入部１３の上縁１３ｕおよび下縁１３ｄそれぞれに押し付けられる。その結果、フィルター１５に生じる張力がより高まるので、空気出入部１３の前面１６に対して、フィルター１５をより近接させ、且つ、より平坦に張ることができる。したがって、空気出入部１３とフィルター１５との隙間をより低減でき、フィルター１５の効果を最大限に高めることができる。
【００５６】
（フィルターディスペンサー１０の変形例）
次に、本発明に係るフィルターディスペンサーの変形例を図６〜図９に基づいて説明する。なお、前述したフィルターディスペンサー１０（図３参照）と共通する要素には同じ符号を付して、重複する説明を省略することとする。
【００５７】
前述したフィルターディスペンサー１０（図３参照）においては、左右一対の上側支持体２１Ｕおよび左右一対の下側支持体２１Ｄを同一形状の部品で構成し、且つ、個別に取り付け可能に構成したが、一部の支持体同士を連結したり、形状の異なる複数種の支持体を用いたりすることも可能である。
【００５８】
（第１変形例）
例えば、図６に示すように、上側支持体２１Ｕと下側支持体２１Ｄを連結部材３３で連結してもよい。このフィルターディスペンサー１０Ａによれば、例えば、空気出入部１３が特定の高さで形成される場合、上側支持体２１Ｕと下側支持体２１Ｄの離間距離Ｌを、連結部材３３によって特定の高さに合わせて予め固定できるので、取り付け作業を容易に行うことができる。
【００５９】
（第２変形例）
図７に示すように、下側支持体２１Ｄ１に案内部材を設けず、下側支持体２１Ｄ１をより簡素に構成してもよい。つまり、下側支持体２１Ｄ１を主に、座部２３、基部２５ａおよび傾斜部２８によって構成すると共に、巻き取り軸３１を回転可能に保持する受け部２７Ｂを基部２５ａに設ける。このフィルターディスペンサー１０Ｂによれば、より簡素に下側支持体２１Ｄ１を構成することで、コストをより低減することができると共に、資材の使用量を削減して、より環境に優しいフィルターディスペンサー１０Ｂを提供することができる。
【００６０】
（第３変形例）
前述したフィルターディスペンサー１０（図２参照）の基本構成において、上下方向（フィルター１５の引き出し方向）に沿って対向する二組の支持体のうち、一方の組の支持体を他方の組の支持体に対して異なる形状としてもよい。すなわち、フィルターディスペンサー１０（図２参照）における右側の上側支持体２１Ｕ・下側支持体２１Ｄのみ、または、左側の上側支持体２１Ｕ・下側支持体２１Ｄのみを、別の形状の部品に変更することができる。
【００６１】
例えば、フィルターディスペンサー１０（図２参照）における右側の上側支持体２１Ｕ・下側支持体２１Ｄのみを、図８（ａ）に示される支持体２１Ｃに変更することができる。支持体２１Ｃは、図８（ａ）に示すように、左右非対称な部品であり、内側部分３５と、この内側部分３５の外側に設けられる外側部分３６とからなる。これら内側部分３５および外側部分３６は、互いに合わさる分割体で構成してもよいし、一体形成された部品でもよい。
【００６２】
図８（ｂ）に示すように、内側部分３５は、前上方に開放して巻き芯１８ａまたは巻き取り軸３１の端部を挿入させる切り欠き状の受け部２６Ｃと、上側案内部材２２Ｕまたは下側案内部材２２Ｄが取り付けられる取り付け穴３７とを有する。図８（ｃ）に示すように、外側部分３６は、内側部分３５の受け部２６Ｃの下端部に合わさって巻き芯１８ａまたは巻き取り軸３１の端部を保持する保持穴３８を有する。この支持体２１Ｃでは、受け部２６Ｃの開放側から巻き芯１８ａまたは巻き取り軸３１の端部を挿入した後、保持穴３８で保持する。
【００６３】
このような支持体２１Ｃを有するフィルターディスペンサー１０Ｃにおいても、前述したフィルターディスペンサー１０（図２参照）と同様の作用効果を得ることができる。
【００６４】
（第４変形例）
図９に示すように、フィルターディスペンサー１０Ｅにおいて、上側案内部材２２Ｕおよび下側案内部材２２Ｄのそれぞれの位置を調整可能とするため、上側支持体２１Ｕおよび下側支持体２１Ｄのそれぞれに複数の取り付け穴３７ｆ，３７ｒを設けてもよい。この例では、２つの取り付け穴３７ｆ，３７ｒを前後に並べて設ける。このフィルターディスペンサー１０Ｅでは、空気出入部１３ａが仕切り部材１２の外面１２ａと同一面上に設けられる場合（フラットである場合）、後側の取り付け穴３７ｒに上側案内部材２２Ｕおよび下側案内部材２２Ｄを取り付け、フィルター１５をフラットな空気出入部１３ａに沿わせる（矢印（４））。また、空気出入部１３が仕切り部材１２の外面１２ａから張り出している場合は、前側の取り付け穴３７ｆに上側案内部材２２Ｕおよび下側案内部材２２Ｄを取り付け、フィルター１５を張り出した空気出入部１３に沿わせる（矢印（５））。このように、フィルターディスペンサー１０Ｅにおいては、取り付け穴３７ｆ，３７ｒを適宜選択することにより、仕切り部材１２に対する上側案内部材２２Ｕおよび下側案内部材２２Ｄの位置を空気出入部１３ａ，１３の形態に合わせて調整することができる。これにより、空気出入部１３ａ，１３に対して最適な位置にフィルター１５を引き出すことができる。
【００６５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００６６】
例えば、実施形態および各変形例では、第２の保持手段を下側支持体２１Ｄ，２１Ｄ１で構成したが、第２の保持手段は、下側支持体２１Ｄ，２１Ｄ１の他、磁石や両面テープなど各種の保持手段から選択可能である。
【００６７】
また、実施形態および各変形例では、フィルターディスペンサー１０，１０Ａ，１０Ｂ，１０Ｃ，１０Ｅを例示したが、本発明のフィルターディスペンサーは、これらフィルターディスペンサー１０，１０Ａ，１０Ｂ，１０Ｃ，１０Ｅを適宜組み合せたものでもよい。
【符号の説明】
【００６８】
１０      フィルターディスペンサー
１０Ａ    フィルターディスペンサー
１０Ｂ    フィルターディスペンサー
１０Ｃ    フィルターディスペンサー
１０Ｅ    フィルターディスペンサー
１１      被仕切り物
１２      仕切り部材
１２ａ    外面
１３      空気出入部
１３ａ    空気出入部
１３ｕ    上縁（一側の縁）
１３ｄ    下縁（他側の縁）
１５      フィルター
１５ａ    内面
１５ｂ    外面
１８      ロール体
１８ａ    巻き芯
２０Ｕ    上側保持手段（第１の保持手段）
２１Ｕ    上側支持体（第１の支持体）
２２Ｕ    上側案内部材（第１の案内部材）
２０Ｄ    下側保持手段（第２の保持手段）
２１Ｄ    下側支持体（第２の支持体）
２１Ｄ１  下側支持体（第２の支持体）
２１Ｃ    支持体（第１の支持体，第２の支持体）
２２Ｄ    下側案内部材（第２の案内部材）
２８      傾斜部
３１      巻き取り軸
【図１】
2014213285.tif 000003
【図２】
2014213285.tif 000004
【図３】
2014213285.tif 000005
【図４】
2014213285.tif 000006
【図５】
2014213285.tif 000007
【図６】
2014213285.tif 000008
【図７】
2014213285.tif 000009
【図８】
2014213285.tif 000010
【図９】
2014213285.tif 000011